(57)【要約】【課題】光記録媒体と対物レンズとの衝突を防止するプロテクタが、光記録媒体に衝突することによって生じる再生信号の悪化を緩和できる光ピックアップを提供する。【解決手段】光ピックアップ１が備える２つの対物レンズ８、１５は、レンズホルダ２２に保持される。レンズホルダ２２には、対物レンズ８、１５と光記録媒体との衝突を防止する２つのプロテクタ３１ａ、３１ｂが設けられる。２つのプロテクタ３１ａ、３１ｂは、それぞれ、レンズホルダ２２を揺動可能に支持するワイヤ２８ａ〜２８ｃを固定するワイヤ固定部３０ａ又はワイヤ２８ｄ〜２８ｆを固定するワイヤ固定部３０ｂの上部に設けられる。【選択図】図４
2009048724.tif 000002
【特許請求の範囲】
【請求項１】
光源から出射される光ビームを光記録媒体の記録面に集光する対物レンズと、
前記対物レンズを保持するレンズホルダと、
前記光記録媒体と前記対物レンズとの衝突を防止するために前記レンズホルダに設けられるプロテクタと、
前記レンズホルダを揺動可能に支持する棒状弾性支持部材と、
前記レンズホルダを、少なくとも、光記録媒体に接離する方向であるフォーカス方向と、前記光記録媒体の半径方向と平行な方向であるトラッキング方向と、に駆動するレンズホルダ駆動手段と、
を備える光ピックアップにおいて、
前記プロテクタは前記レンズホルダに２つ設けられ、
前記２つのプロテクタは、前記レンズホルダにおいて前記トラッキング方向の両者の距離が最大となる位置に設けられることを特徴とする光ピックアップ。
【請求項２】
前記レンズホルダは、前記トラッキング方向と略直交し、且つ、互いに対向配置される２つの側壁を有し、
前記２つの側壁のそれぞれから、前記トラッキング方向と略平行な方向に突出する突出部が形成され、
前記プロテクタは、前記突出部に形成されることを特徴とする請求項１に記載の光ピックアップ。
【請求項３】
前記突出部は、前記棒状弾性支持部材を前記レンズホルダに固定する固定部であることを特徴とする請求項２に記載の光ピックアップ。
【請求項４】
前記レンズホルダには、２つの対物レンズが保持されることを特徴とする請求項１から３のいずれかに記載の光ピックアップ。
【発明の詳細な説明】
【技術分野】
【０００１】
本発明は、光ビームを光記録媒体に照射して情報の読み取りや書き込みを可能とする光ピックアップに関し、より詳細には、光源から出射された光ビームを光記録媒体の記録面に集光する対物レンズと、光記録媒体と、の衝突を防止するために備えられるプロテクタに関する。
【背景技術】
【０００２】
コンパクトディスク（以下、ＣＤという。）やデジタル多用途ディスク（以下、ＤＶＤという。）といった光記録媒体が普及している。更に、最近では、光記録媒体の情報量を更に増やすために、情報を高密度に記録できる光記録媒体に関する研究が進められ、例えば、高品位のＤＶＤであるＨＤ−ＤＶＤやブルーレイディスク（以下、ＢＤという。）といった光記録媒体も実用化されてきている。
【０００３】
このような光記録媒体について再生や記録を行うにあたっては、光記録媒体に光ビームを照射して情報の書き込みや情報の読み取りを可能とする光ピックアップが用いられる。光ピックアップにおいては、光記録媒体の面振れ等によらず、光源から出射される光ビームの焦点が常に光記録媒体の記録面に合うように制御する必要がある（このような制御を以下ではフォーカス制御と表現する）。また、光記録媒体に集光されたビームスポットの位置が、光記録媒体に形成されるトラックに常に追随するように制御する必要がある（このような制御を以下ではトラッキング制御と表現する）。
【０００４】
このようなことから、光ピックアップにおいては、光源から出射される光ビームを光記録媒体の記録面に集光する対物レンズについて、対物レンズアクチュエータによって位置を移動できるようになっている。なお、対物レンズアクチュエータによる対物レンズの移動方向としては、少なくとも、対物レンズが光記録媒体に接離する方向であるフォーカス方向と、光記録媒体の半径方向と平行な方向であるトラッキング方向と、が含まれる。
【０００５】
ところで、光ピックアップでは、情報を高密度に記録できる光記録媒体（例えばＢＤ）に対応する場合、光源から出射される光ビームが光記録媒体上に形成する光スポットのスポットサイズを小さくする必要がある。光スポットのスポットサイズを小さくする方法としては、光ビームを出射する光源の波長を短くするとともに、対物レンズの開口数を大きくすることが通常行われる。
【０００６】
しかし、このように対物レンズの開口数を大きくすると、光ピックアップにより光記録媒体の情報の記録や情報の読み取りを行う際の対物レンズ先端と光記録媒体との間隔（ワーキングディスタンス；ＷＤ）が狭くなる。このＷＤが狭くなる傾向は、例えばＢＤに対応する光ピックアップにおいて顕著である。そして、このようにＷＤが非常に狭くなると、例えば、面ぶれが大きい光記録媒体を用いた場合や、光記録媒体上の傷や外部からの振動等によりフォーカスサーボが外れた場合等に、対物レンズと光記録媒体とが衝突する可能性が非常に高くなる。
【０００７】
なお、ＷＤが狭くなる状況は、ＢＤに対応する光ピックアップに限られるわけではなく、例えばＣＤやＤＶＤ等の光記録媒体に対応する光ピックアップにおいても起こる場合がある。すなわち、ノートパソコン等においては薄型化が要求され、このような要求に対応する光ピックアップにおいてもＷＤが狭くなる。そして、このような場合にも、対物レンズと光記録媒体とが衝突する可能性が非常に高くなる。
【０００８】
このようなことから、従来、対物レンズと光記録媒体の衝突によって、光記録媒体に記録される情報が使えなくなったり、対物レンズが損傷して光ピックアップが使用できなくなったりするのを防止するために、衝突防止用のプロテクタを、対物レンズを保持するレンズホルダに設けることが行われている（例えば、特許文献１〜４参照）。
【特許文献１】特開２００１−３１９３５５号公報
【特許文献２】特開２００７−１８６３２号公報
【特許文献３】特開２００７−３５０８３号公報
【特許文献４】特開２００３−３３８０６３号公報
【発明の開示】
【発明が解決しようとする課題】
【０００９】
しかしながら、レンズホルダにプロテクタを設けて対物レンズと光記録媒体の衝突を防止する構成においては、プロテクタと光記録媒体とが衝突した場合に、プロテクタの削れかすが光記録媒体に付着することがある。そして、プロテクタの削れかすが光記録媒体に付着した場合、例えば光記録媒体の再生時に再生信号が悪化するといった問題が発生する場合がある。このような問題に対処するために、衝突時に光記録媒体に傷を付けず、且つ耐摩耗性に優れる材料をプロテクタとして選択することが考えられるが、コスト面等に問題が残る。
【００１０】
また、近年においては、上述のようにＢＤ等の光記録媒体の出現により、複数種類の光記録媒体に対応できるように、対物レンズを２つ備える光ピックアップが見られる。対物レンズを２つ備える構成では、対物レンズを１つ備える場合よりもレンズホルダの重さが重くなるために、プロテクタと光記録媒体とが衝突した場合の衝撃力が大きくなる。このために、上述のプロテクタの削れかすの付着の問題が大きくなると考えられる。これについて、図７を参照しながら説明する。
【００１１】
図７は、プロテクタと光記録媒体を、衝撃力を変化させて衝突させた後に、光記録媒体の再生を行った場合に発生するエラー信号の数をカウントした結果で、衝撃力とエラー信号の発生数との関係を示したグラフである。図７に見られるように、衝撃力が大きくなるにつれて、再生信号が悪化する傾向が見られる。衝撃力の増加による再生信号の悪化する要因の一つとして、プロテクタの削れかすの付着量の増加が挙げられる。従って、上述のように、対物レンズを２つ備える光ピックアップにおいては、プロテクタと光記録媒体との衝突による悪影響が、対物レンズを１つ備える光ピックアップの場合より大きくなると考えられる。
【００１２】
以上の点に鑑み、本発明の目的は、光記録媒体と対物レンズとの衝突を防止するプロテクタが、光記録媒体に衝突することによって生じる再生信号の悪化を抑制できる光ピックアップを提供することである。
【課題を解決するための手段】
【００１３】
上記目的を達成するために本発明は、光源から出射される光ビームを光記録媒体の記録面に集光する対物レンズと、前記対物レンズを保持するレンズホルダと、前記光記録媒体と前記対物レンズとの衝突を防止するために前記レンズホルダに設けられるプロテクタと、前記レンズホルダを揺動可能に支持する棒状弾性支持部材と、前記レンズホルダを、少なくとも、光記録媒体に接離する方向であるフォーカス方向と、前記光記録媒体の半径方向と平行な方向であるトラッキング方向と、に駆動するレンズホルダ駆動手段と、を備える光ピックアップにおいて、前記プロテクタは前記レンズホルダに２つ設けられ、前記２つのプロテクタは、前記レンズホルダにおいて前記トラッキング方向の両者の距離が最大となる位置に設けられることを特徴としている。
【００１４】
これによれば、プロテクタが光記録媒体に衝突することによって発生する衝撃力を緩和できる。このために、光記録媒体とプロテクタの衝突による再生信号の悪化を抑制できる。
【００１５】
また、本発明は、上記構成の光ピックアップにおいて、前記レンズホルダは、前記トラッキング方向と略直交し、且つ、互いに対向配置される２つの側壁を有し、前記２つの側壁のそれぞれから、前記トラッキング方向と略平行な方向に突出する突出部が形成され、前記プロテクタは、前記突出部に形成されるように構成しても良い。これによれば、２つ設けられるプロテクタ間のトラッキング方向の距離をより長くできる。このために、プロテクタが光記録媒体に衝突することによって発生する衝撃力を緩和しやすい。
【００１６】
また、本発明は、上記構成の光ピックアップにおいて、前記突出部は、前記棒状弾性支持部材を前記レンズホルダに固定する固定部であるのが好ましい。これによれば、プロテクタを配置するための突出部を、プロテクタを配置する目的のみで形成する必要がなく、コスト、作業性等に優れる。
【００１７】
また、本発明は、上記構成の光ピックアップにおいて、前記レンズホルダには、２つの対物レンズが保持されることとしても良い。これによれば、対物レンズを１つのみ搭載する場合に比べて光記録媒体との衝突時における衝撃力が大きくなるが、このような場合でも、光記録媒体とプロテクタとの衝突によって発生する衝撃力を緩和でき、光記録媒体とプロテクタの衝突による再生信号の悪化を抑制できる。
【発明の効果】
【００１８】
本発明によれば、光記録媒体と対物レンズとが衝突するのを防止するプロテクタと、光記録媒体と、が衝突した場合における衝撃力を緩和できる。このために、光記録媒体とプロテクタとの衝突による再生信号の悪化を抑制できる。
【発明を実施するための最良の形態】
【００１９】
以下、本発明の光ピックアップの実施形態について、図面を参照しながら詳細に説明する。
【００２０】
まず、本実施形態の光ピックアップの概略構成について、図１及び図２を参照しながら説明する。図１は、本実施形態の光ピックアップの構成を示す概略平面図である。また、図２は、本実施形態の光ピックアップの光学系の構成を示す概略図である。
【００２１】
本実施形態の光ピックアップ１は、光記録媒体（光ディスク）５０に対してレーザ光を照射して、光記録媒体５０に記録される情報の読み取りや、光記録媒体５０への情報の書き込みを可能とする装置である。光ピックアップ１は、光ディスク装置に搭載される場合においては、図１に示すように、光ディスク装置内に設けられる２本のガイドレール１８に摺動可能に支持される。そして、光ピックアップ１は、光記録媒体５０の半径方向（ラジアル方向）と平行な方向に延びるガイドレール１８に沿って、図示しない駆動手段によって移動されて、光記録媒体５０に記録される情報の読み取りや、光記録媒体５０への情報の書き込みを行う。
【００２２】
図２に示すように、光ピックアップ１は２系統の光学系を備え、一方はＢＤ用の光学系で、他方はＤＶＤ及びＣＤ（ＤＶＤ／ＣＤ）用の光学系である。この２系統の光学系は、光ピックアップ１によって情報の読み取りや書き込みが行われる光記録媒体５０の種類（ここでは、ＢＤ、ＤＶＤ、及びＣＤのうちのいずれか）によって切り換えて使用される。以下、ＢＤ用の光学系、ＤＶＤ／ＣＤ用の光学系について、別々に説明する。
【００２３】
ＢＤ用の光学系は、第１レーザダイオード２と、回折素子３と、偏光ビームスプリッタ４と、第１コリメートレンズ５と、１／４波長板６と、第１立ち上げミラー７と、第１対物レンズ８と、第１シリンドリカルレンズ９と、第１フォトディテクタ１０と、を備える。
【００２４】
第１レーザダイオード２は、波長４０５ｎｍ帯のレーザ光を出射する光源である。第１レーザダイオード２から出射されたレーザ光は、回折素子３によって主ビームと２つの副ビームとに分けられる。回折素子３から出射したレーザ光は、偏光ビームスプリッタ４で反射され、第１コリメートレンズ５に送られる。
【００２５】
第１コリメートレンズ５は、図示しない駆動手段によって光軸方向（図２に示す矢印の方向）に移動可能となっており、その位置によって、第１対物レンズ８に入射するレーザ光の収束発散状態を変化させる。このような構成とするのは、球面収差の補正を行えるようにするためである。
【００２６】
第１コリメートレンズ５を出射したレーザ光は、偏光ビームスプリッタ４と協働して光アイソレータとして機能する１／４波長板６を通過し、第１立ち上げミラー７によって反射されて第１対物レンズ８に入射する。第１対物レンズ８は、入射したレーザ光を光記録媒体５０の記録面５０ａに集光する。
【００２７】
光記録媒体５０で反射されたレーザ光は、第１対物レンズ８を透過後、第１立ち上げミラー７で反射され、１／４波長板６、第１コリメートレンズ５の順に透過後、更に偏光ビームスプリッタ４も透過する。偏光ビームスプリッタ４を透過したレーザ光は、非点収差を付与する機能を有する第１シリンドリカルレンズ９を透過して、第１フォトディテクタ１０の受光面に集光する。第１フォトディテクタ１０は、入射した光信号を電気信号に変換して出力する。ここで出力された電気信号は処理されて、再生信号や、フォーカスエラー信号や、トラッキングエラー信号等となる。
【００２８】
次に、ＤＶＤ／ＣＤ用の光学系について説明する。ＤＶＤ／ＣＤ用の光学系は、第２レーザダイオード１１と、ハーフミラー１２と、第２コリメートレンズ１３と、第２立ち上げミラー１４と、第２対物レンズ１５と、第２シリンドリカルレンズ１６と、第２フォトディテクタ１７と、を備える。
【００２９】
第２レーザダイオード１１は、波長６５０ｎｍ帯のレーザ光と、波長７８０ｎｍ帯のレーザ光と、を切り換えて出射できる２波長レーザである。第２レーザダイオード１１から出射されたレーザ光は、ハーフミラー１２で反射されて第２コリメートレンズ１３に送られ、平行光に変換される。
【００３０】
第２コリメートレンズ１３から出射されたレーザ光は、第２立ち上げミラー１４で反射され、第２対物レンズ１５に入射し、光記録媒体５０の記録面５０ａに集光する。
【００３１】
光記録媒体５０で反射されたレーザ光は、第２対物レンズ１５を透過後、第２立ち上げミラー１４で反射され、第２コリメートレンズ１３、ハーフミラー１２の順に透過し、非点収差を付与する機能を有する第２シリンドリカルレンズ１６を透過して、第２フォトディテクタ１７の受光面に集光する。第２フォトディテクタ１７は、入射した光信号を電気信号に変換して出力する。ここで出力された電気信号は処理されて、再生信号や、フォーカスエラー信号や、トラッキングエラー信号等となる。
【００３２】
なお、ここで示した光ピックアップ１の光学系の構成は、一例に過ぎず、本発明の目的を逸脱しない範囲で、当然、種々の変更が可能である。
【００３３】
第１対物レンズ８と第２対物レンズ１５とは、その詳細は後述する対物レンズアクチュエータ２０によって、フォーカス方向とトラッキング方向とに移動可能となっている。これにより、フォーカス調整やトラッキング調整が可能となる。なお、フォーカス方向とは、対物レンズ８、１５が光記録媒体５０に対して接離する方向であり、トラッキング方向とは、光記録媒体５０の半径方向と平行な方向である。また、フォーカス調整とは、第１対物レンズ８又は第２対物レンズ１５の焦点位置が常に光記録媒体５０の記録面５０ａに合うように行う調整のことで、トラッキング調整とは、記録面５０ａに形成されるビームスポットの位置が常に光記録媒体５０に形成されるトラックに追従するように行う調整のことである。
【００３４】
以下、本実施形態の光ピックアップ１が備える対物レンズアクチュエータ２０の構成に詳細について、図３及び図４を参照しながら説明する。ここで、図３は、本実施形態の光ピックアップが備える対物レンズアクチュエータ２０の構成を示す分解斜視図である。また、図４は、本実施形態の光ピックアップが備える対物レンズアクチュエータ２０の構成を示す概略斜視図である。
【００３５】
２１は、ベースであり、強磁性を有する金属からなる。ベース２１には、そのほぼ中央にレーザ光を通過させる貫通孔２１ａが形成されている。そして、この貫通孔２１ａの上に、その詳細は後述するレンズホルダ２２が配置される。また、ベース２１上には、レンズホルダ２２を挟むように所定間隔をあけて対向配置される一対の永久磁石２３ａ、２３ｂが立設されている。
【００３６】
永久磁石２３ａ、２３ｂは、同一の極（Ｎ極又はＳ極）が向かい合うように配置される。また、永久磁石２３ａ、２３ｂのそれぞれの外面には、ベース２１から折曲形成されたヨーク２１ｂ、２１ｃが磁着された状態となっている。
【００３７】
レンズホルダ２２には、レーザ光が通過できるように光路孔が形成されている。そして、この光路孔の上部側には第１対物レンズ８を保持する第１対物レンズ保持部２２ａ、及び第２対物レンズ１５を保持する第２対物レンズ保持部２２ｂが形成されている。レンズホルダ２２の内側の側壁には、その側壁に沿うように巻回された略矩形状のフォーカスコイル２４が接着剤等で固着されている。
【００３８】
また、レンズホルダ２２の側壁のうち、永久磁石２３ａ、２３ｂと対向する両側壁の外側には、それぞれ、左右に一対ずつ並ぶようにトラッキングコイル２５ａ、２５ｂ、又はトラッキングコイル２５ｃ、２５ｄが設けられている。また、トラッキングコイル２５ａ及びトラッキングコイル２５ｃ、並びに、トラッキングコイル２５ｂ及びトラッキングコイル２５ｄは、それぞれ対称位置に配置されている。トラッキングコイル２５ａ〜２５ｄは、レンズホルダ２２に対して接着剤等で固着されている。なお、４つのトラッキングコイル２５ａ〜２５ｄは、全体として１本の線で繋がっている。
【００３９】
ベース２１上には、２つの永久磁石２３ａ、２３ｂのうち、永久磁石２３ｂに磁着されたヨーク２１ｃの外面側と接し、平面視略コの字状に形成され、ポリカーボネート等の樹脂成型品から成るゲルボックス２６が固定される。また、ベース２１上には、ゲルボックス２６の外側に隣接配置される回路基板２７が立設されている。
【００４０】
この回路基板２７には、左右両側において、それぞれ上下方向に３箇所ずつ、導電性を有するワイヤ（棒状弾性支持部材）２８ａ、２８ｂ、２８ｃ、２８ｄ、２８ｅ、２８ｆの各一端がハンダ付けにて接続されている。ワイヤ２８ａ〜２８ｃ及びワイヤ２８ｄ〜２８ｆは、それぞれゲルボックス２６に形成された挿通孔２９ａ、２９ｂを挿通している。
【００４１】
なお、各挿通孔２９ａ、２９ｂ内には、シリコンを主成分とするゲル材が充填されている。ここでゲル材は、低粘度のゲル材（ゾル）がゲルボックス２６の各挿通孔２９ａ、２９ｂに注入された後、所定時間の紫外線照射によってゲル状に硬化したものである。このゲル材により、レンズホルダ２２の駆動に応じて各ワイヤ２８ａ〜２８ｆに生じた振動が減衰される。
【００４２】
ワイヤ２８ａ〜２８ｃの他端は、レンズホルダ２２の側壁に設けられるワイヤ固定部３０ａに、ハンダ付けにて固着されている。また、ワイヤ２８ｄ〜２８ｆの他端は、レンズホルダ２２のワイヤ固定部３０ａが形成される側壁に対向する側壁に設けられるワイヤ固定部３０ｂに、ハンダ付けにて固着されている。これにより、レンズホルダ２２は、ワイヤ２８ａ〜２８ｆによってベース２１に対して揺動可能に支持された状態となっている。
【００４３】
なお、ワイヤ固定部３０ａ、３０ｂは、いずれも矩形板状に形成され、レンズホルダ２２の側壁からトラッキング方向と略平行な方向に突出している。また、ワイヤ固定部３０ａ、３０ｂは、いずれも、レンズホルダ２２のワイヤ２８ａ〜２８ｆと平行な方向の略中間位置から突出するように形成されている。
【００４４】
また、本実施形態においては、ワイヤ固定部３０ａ、３０ｂには配線パターンが形成されており、ワイヤ２８ａ及びワイヤ２８ｄは、ワイヤ固定部３０ａ、３０ｂを中継基板としてフォーカスコイル２４と電気的に接続された状態となっている。また、ワイヤ２８ｃ及びワイヤ２８ｆは、ワイヤ固定部３０ａ、３０ｂを中継基板としてトラッキングコイル２５ａ〜２５ｄと電気的に接続された状態となっている。
【００４５】
このように構成される対物レンズアクチュエータ２０を用いてフォーカス調整を行う場合には、回路基板２７からワイヤ２８ａ、２８ｄを通じてフォーカスコイル２４に電流が供給される。そして、永久磁石２３ａ、２３ｂによって形成される磁界との電磁気的な作用により、レンズホルダ２２がフォーカス方向に変位される。フォーカスコイル２４に供給される電流の大きさ及び向きの調整により、レンズホルダ２２の変位が調整される。
【００４６】
また、対物レンズアクチュエータ２０を用いてトラッキング調整を行う場合には、回路基板２７からワイヤ２８ｃ、２８ｆを通じてトラッキングコイル２５ａ〜２５ｄに電流が供給される。そして、永久磁石２３ａ、２３ｂによって形成される磁界との電磁気的な作用により、レンズホルダ２２が、トラッキング方向に変位される。トラッキングコイル２５ａ〜２５ｄに供給される電流の大きさ及び向きの調整により、レンズホルダ２２の変位が調整される。
【００４７】
本実施形態の光ピックアップ１においては、対物レンズ８、１５と光記録媒体５０とが衝突するのを防止するために、図３又は図４に示すように、レンズホルダ２２に２つのプロテクタ３１ａ、３１を形成している。プロテクタ３１ａ、３１ｂは、その高さが第１対物レンズ８及び第２対物レンズ１５のいずれよりも高く形成されて、対物レンズ８、１５と光記録媒体５０とが衝突するのを防止する。なお、２つのプロテクタ３１ａ、３１ｂの高さは略同一とされている。
【００４８】
また、プロテクタ３１a、３１ｂは、光記録媒体５０と衝突した場合に、なるべく光記録媒体５０に傷をつけないような材料が選択され、例えば、ポリアセタール（ＰＯＭ）、超高分子量ポリエチレン、ナイロン等で形成される。本実施形態においては、プロテクタ３１ａ、３１ｂには成型品を用いている。具体的には、外形が略直方体形状に形成され、下部側の一部に切り欠き部が形成された構成となっている。これにより、プロテクタ３１ａ、３１ｂは、それぞれ、矩形板状に形成されるワイヤ固定部３０ａ、３０ｂの上部に嵌め込まれた状態で取り付けられている。
【００４９】
なお、プロテクタ３０ａ、３０ｂの形状については、本実施形態の構成に限定される趣旨ではなく、種々の変更が可能である。すなわち、例えば、単に、ワイヤ固定部３１ａ、３１ｂ上に、所定の高さを有するシート状のプロテクタを貼り付ける構成等としても良い。
【００５０】
本実施形態では、プロテクタ３１ａ、３１ｂをワイヤ固定部３０ａ、３０ｂの上部に設ける構成としているが、この理由について説明する。
【００５１】
図５（ａ）は、レンズホルダ２２の上側、所定位置にロードセルを配置し、対物レンズアクチュエータ２０の駆動によりレンズホルダ２２をフォーカス方向に一定の条件で移動させてレンズホルダ２２をロードセルに衝突させ、衝突時にロードセルで検出される荷重を測定した結果である。また、図５（ａ）に示す結果は、図５（ｂ）における各破線の交点位置（合計９点）にロードセルが衝突するようにロードセルを順次配置し、その際に測定された荷重をグラフ化したものである。
【００５２】
図５に示す結果から、レンズホルダ２２の上面の中心位置（図５（ｂ）における、破線Ｌ２と破線Ｓ２が交わる部分が該当する）からトラッキング方向に離れた位置において、荷重が小さくなることがわかる。上述したように、光記録媒体と、光記録媒体と対物レンズとの衝突を防止するために設けるプロテクタと、の間の衝撃力が大きくなると、再生信号が悪化する（図７参照）。このために、衝撃力が小さくなる位置に、プロテクタを配置するのが好ましく、本実施形態では、レンズホルダ２２の上面の中心位置からトラッキング方向に最も離れた位置である、ワイヤ固定部３０ａ、３０ｂの上部にプロテクタ３１ａ、３１ｂを形成している。
【００５３】
なお、本実施形態では、光記録媒体５０と対物レンズ８、１５との衝突を防止するプロテクタについて、プロテクタ３１ａとプロテクタ３１ｂとの２つを配置している。これについて、図６を参照しながら説明する。
【００５４】
図６は、プロテクタ３１ａ、３１ｂをワイヤ固定部３０ａ、３０ｂの上部に設けた場合において、プロテクタ３１ａ、３１ｂと光記録媒体５０とが衝突する様子を説明するための模式図である。ここで、図６（ａ）は、例えば外乱（振動、衝撃等）によってプロテクタ３１ａ、３１ｂと光記録媒体５０とが衝突する場合の第１回目の衝突を示し、図６（ｂ）は、第１回目の衝突が起こった後の第２回目の衝突を示している。なお、図６の衝突例は一例である。
【００５５】
本実施形態のようにプロテクタ３１ａ、３１ｂをワイヤ固定部３０ａ、３０ｂの上部に設けた場合、図６（ａ）に示すように、第１回目の衝突によって、プロテクタ３１ａと光記録媒体５０とが衝突した場合、衝突点を支点としてレンズホルダ２２を回転させる力（図６（ａ）に矢印で示す）が発生する。なお、これにより、プロテクタ３１ａと光記録媒体５０との衝突時の衝撃力が緩和されるものと考えられる。
【００５６】
そして、第１回目の衝突の後、レンズホルダ２２は回転されるので、プロテクタ３１ｂを設けていない場合、レンズホルダ２２（場合によっては対物レンズ８）と光記録媒体５０とが衝突する可能性がある。このために、本実施形態においては、レンズホルダ２２のワイヤ固定部３０ｂの上部にプロテクタ３１ｂも設ける構成としている。
【００５７】
以上のように構成される本実施形態の光ピックアップ１においては、レンズホルダ２２に設けられるプロテクタ３１ａ、３１ｂが、光記録媒体５０に衝突する際の衝撃力を極力小さくできる。このために、プロテクタ３１ａ、３１ｂと光記録媒体５０とが衝突した場合において、プロテクタ３１ａ、３１ｂの削れかすが光記録媒体５０に付着する可能性を抑えられ、光記録媒体の再生信号の悪化を抑制することができる。
【００５８】
以上に示した実施形態は一例であり、本発明は上述の実施形態に限定されるものではなく、本発明の目的を逸脱しない範囲で種々の変更が可能である。
【００５９】
本実施形態においては、２つのプロテクタ３１ａ、３１ｂをワイヤ固定部３０ａ、３０ｂの上部に設ける構成としたが、この構成に限定されない。すなわち、２つのプロテクタは、トラッキング方向の両者の距離がレンズホルダにおいて最大となる位置に設ければ良い。このように構成すれば、プロテクタと光記録媒体の衝突時の衝撃力を緩和できる。
【００６０】
また、２つのプロテクタのトラッキング方向における距離をなるべく大きくするために、トラッキング方向と略直交するように設けられ、且つ、互いに対向配置される２つの側壁（いずれもレンズホルダの側壁）のそれぞれについて、トラッキング方向に突出する突出部を形成し、その突出部にプロテクタを形成するのが好ましい。この点、本実施形態のように、レンズホルダ２２にワイヤ固定部３０ａ、３０ｂが形成されている場合には、ワイヤ固定部３０ａ、３０ｂを上記の突出部して、そこにプロテクタ３１ａ、３１ｂを設ける構成とするのが更に好ましい。このようにすれば、突出部を新たに形成する必要がないためである。
【００６１】
また、本実施形態においては、２つの対物レンズ８、１５がタンジェンシャル方向（トラッキング方向と直交する方向）に並ぶ構成を示したが、これに限定される趣旨ではない。すなわち、例えば、対物レンズの数について１つであっても、本発明はもちろん適用可能である。ただし、対物レンズが２つ以上の複数の場合に、特に、プロテクタと光記録媒体との衝突時の衝撃力が大きくなり、光記録媒体の再生信号の悪化が発生しやすい。このために、対物レンズが複数の場合に本発明は特に有効である。なお、本実施形態では、２つの対物レンズがタンジェンシャル方向に並んだ場合を一例として示したが、２つの対物レンズがラジアル方向（トラッキング方向に同じ）に並ぶ構成の場合にも、本発明は適用可能である。
【００６２】
その他、本実施形態においては、光ピックアップが、ＢＤ、ＤＶＤ、ＣＤの３種類の光記録媒体に対応する構成を例に説明したが、光ピックアップが対応する光記録媒体の種類は本実施形態に示した例に限定されず、広く適用できるのは言うまでもない。
【産業上の利用可能性】
【００６３】
本発明の光ピックアップによれば、対物レンズと光記録媒体との衝突を防止するために設けられるプロテクタが光記録媒体と衝突した場合においても、再生信号の悪化を抑制することが可能となる。このため、本発明の光ピックアップは有用である。
【図面の簡単な説明】
【００６４】
【図１】は、本実施形態の光ピックアップの構成を示す概略平面図である。
【図２】は、本実施形態の光ピックアップの光学系の構成を示す概略図である。
【図３】は、本実施形態の光ピックアップが備える対物レンズアクチュエータの構成を示す分解斜視図である。
【図４】は、本実施形態の光ピックアップが備える対物レンズアクチュエータの構成を示す概略斜視図である。
【図５】は、プロテクタをワイヤ固定部の上部に設ける構成とする理由を説明するための説明図である。
【図６】は、プロテクタをワイヤ固定部の上部に設けた場合において、プロテクタと光記録媒体とが衝突する様子を説明するための模式図である。
【図７】は、対物レンズと光記録媒体との衝突を防止するためのプロテクタについて、従来の問題点を説明するための説明図である。
【符号の説明】
【００６５】
１              光ピックアップ
２              第１レーザダイオード（光源）
８              第１対物レンズ
１１            第２レーザダイオード（光源）
１５            第２対物レンズ
２２            レンズホルダ
２３ａ、２３ｂ  永久磁石（レンズホルダ駆動手段の一部）
２４            フォーカスコイル（レンズホルダ駆動手段の一部）
２５ａ〜２５ｄ  トラッキングコイル（レンズホルダ駆動手段の一部）
２８ａ〜２８ｆ  ワイヤ（棒状弾性支持部材）
３０ａ、３０ｂ  ワイヤ固定部（突出部）
３１ａ、３１ｂ  プロテクタ
５０            光記録媒体
５０ａ          記録面
【図１】
2009048724.tif 000003
【図２】
2009048724.tif 000004
【図３】
2009048724.tif 000005
【図４】
2009048724.tif 000006
【図７】
2009048724.tif 000007
【図５】
2009048724.tif 000008
【図６】
2009048724.tif 000009